【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
人の皮膚又は外皮の色調を決定するための方法において、
ａ）前記皮膚又は外皮の少なくとも１つの決定されたゾーンの、各々が灰色レベルを有する複数（Ｎ個）のピクセルにより定められる少なくとも１つのデジタルカラー画像を、デジタルカメラ又はデジタル写真装置を用いて取り込み、前記少なくとも１つのデジタル画像を処理してそこに記録するデジタル画像処理装置へ前記デジタルカラー画像を送信するステップと、
ｂ）前記記録されたデジタルカラー画像を、前記デジタル画像処理装置でもって、３つの色平面、赤平面Ｒ、緑平面Ｇ及び青平面Ｂへと分割するステップと、
ｃ）前記平面Ｒ、Ｇ、Ｂの各々を抽出し、各平面に関して、前記Ｎ個のピクセルの各々について灰色レベル値を前記デジタル画像処理装置でもって計算して記録し、それによって、前記皮膚の色を特徴付ける灰色値に対応する、各平面についての灰色レベルを特徴付けるグラフ的灰色値、統計的灰色値、及び少なくとも１つの平均灰色値から選択された少なくとも１つの値を得るように、数学的計算手段により数学的に処理されるようなＮ個の灰色レベル値を与えるステップと、
ｄ１）垂直軸が各色平面Ｒ、Ｇ及びＢについての画像におけるピクセルの数又はピクセルの割合を表し、水平軸が画像のピクセルの灰色レベルの値を表し、又は、その逆であるような平面における曲線の形にて、前記デジタル画像からの各平面Ｒ、平面Ｇ及び平面Ｂのヒストグラムをプロットして、それにより、ヒストグラムＲ、ヒストグラムＧ及びヒストグラムＢのそれぞれを得るステップと、
ｄ２）最も離れたヒストグラムＲ、Ｇ、Ｂの、（ΔＲＧＢ）として示されるタイトネスを計算することにより、前記皮膚又は外皮を特徴付ける色を決定するステップと、
ｄ３）光度Ｌとして、次の式：（ＩＷ）＝tan−１（Ｌ／（ΔＲＧＢ））に従って、皮膚の白さインデックス（ＩＷ）を計算するステップとを含み、
ｅ）前記３つの色平面Ｒ、Ｇ、Ｂのうちの少なくとも２つの色平面の各色平面について前記画像のＮ個のピクセルのうちの少なくとも幾つかから生ずる灰色レベルの値から光度Ｌを評価するステップと、
ｆ）前記皮膚又は外皮の色調を、前記皮膚又は外皮の色を特徴付ける前記値及び前記光度Ｌの両者の組合せに基づいて特徴付けるステップと、
を含む方法。
【請求項２】
観察すべき色調を表す画像ゾーンを選択するステップと、
前記ゾーンの少なくとも１つの部分に関して、前記画像の平均灰色レベル、前記灰色レベルの集合表面領域及び灰色レベル変動から選択された少なくとも１つのパラメータを計算するステップと、
を含む、請求項１に記載の方法。
【請求項３】
前記３つのヒストグラムＲ、Ｇ、Ｂからの少なくとも２つのヒストグラムの重複領域、
又は、前記３つの平面Ｒ、Ｇ及びＢについて単一灰色レベル値が記録されているピクセルの数、
又は、前記３つの平面について記録された灰色レベルの算術平均、及び任意的なものとしてその平均からの偏差、
又は、それらの任意の組合せ、のうちのいずれかを、前記計算手段により計算することにより、平均色の多少の彩度増大／彩度減少特徴、又は平均色の彩度を決定するステップ、
を含む、請求項１に記載の方法。
【請求項４】
同じ個々人の顔の種々な皮膚ゾーンについて、前記ステップａ）〜ｆ）を繰り返す、
請求項１〜３の何れか一項に記載の方法。
【請求項５】
着色しみを含む着色欠陥を示す少なくとも１つの皮膚ゾーンと、自然に着色された少なくとも１つの他のコントロール皮膚ゾーンと、を選択するステップ、
を含む、請求項１〜４の何れか一項に記載の方法。
【請求項６】
前記皮膚の少なくとも１つのゾーンの画像取り込みを、白色光での照明の下で行うステップ、
を含む、請求項１〜５の何れか一項に記載の方法。
【請求項７】
ＣＣＤデジタルカメラ及びＣＭＯＳデジタル写真装置から選択されたデジタルカラーカメラを使用するステップ、
を含む、請求項１〜６の何れか一項に記載の方法。
【請求項８】
前記計算手段は、前記皮膚又は外皮の色調を較正するための曲線を構成するため、観察される顔又は外皮の種々なゾーンでそれぞれ得られた種々な画像に関して得られた各パラメータの平均を考慮にいれて、各人について記録され使用される顔の各全体平均パラメータを得る、請求項１〜７の何れか一項に記載の方法。
【請求項９】
必要とする少なくとも一人の人に対するケア及びメーキャップに関して化粧料用組成物の化粧有効性を評価するための方法において、
請求項１〜８の何れか一項に記載の方法を実行し、
ａ）化粧料用組成物を使ってケア又はメーキャップする前に、皮膚又は外皮の色及び光度Ｌの基準パラメータとして、第１の画像である、少なくとも１つの画像から決定された皮膚又は外皮の色及び光度Ｌを使用するステップと、
ｂ）所定の時間期間に亘る前記化粧料用組成物の前記皮膚又は外皮の前記少なくとも１つのゾーンへの１回以上の付与を含む前記ケア又はメーキャップを行うステップと、
ｃ）前記皮膚又は外皮の前記少なくとも１つのゾーンの少なくとも１つの第２のデジタル画像を、前記所定の時間期間後に取り込み、トリートメント後の色及び光度Ｌの現在のパラメータを、前記第２のデジタル画像に関して、前記ｂ）で示されるようにして決定するステップと、
ｄ）トリートメント後に得られた前記第２のデジタル画像の色及び光度Ｌの前記現在のパラメータを、トリートメント前の前記第１の画像の色及び光度Ｌの前記基準パラメータと比較するステップと、
ｅ）前記化粧料用組成物の有効性又は非有効性を、前記色及び光度Ｌの基準パラメータと相当に異なる前記色及び光度Ｌの現在のパラメータの取得又は非取得の関数として結論付けるステップと、
を含む方法。
【請求項１０】
赤平面Ｒ、緑平面Ｇ及び青平面Ｂの３つの平面に分割されたそれぞれのデジタル画像に関して色パラメータを決定するステップ、
を含む、請求項９に記載の方法。
【請求項１１】
前記３つのヒストグラムＲ、Ｇ、Ｂのうちの少なくとも２つのヒストグラムの重複のレベルを計算することにより、平均色値を決定するステップ、
を含む、請求項９又は１０に記載の方法。
【請求項１２】
最も離れた前記ヒストグラムＲ、Ｇ、Ｂの（ΔＲＧＢ）として示されるタイトネスを計算することにより、前記化粧料用組成物の有効性を決定するステップ、
を含む、請求項９〜１１の何れか一項に記載の方法。
【請求項１３】
同じ人の種々な皮膚ゾーンに関して前記方法を繰り返す、請求項９〜１２の何れか一項に記載の方法。
【請求項１４】
着色しみを含む着色欠陥を示す皮膚又は外皮の少なくとも１つのゾーン及び自然に着色された少なくとも１つの他のコントロール皮膚ゾーンを選択するステップ、
を含む、請求項９〜１３の何れか一項に記載の方法。
【請求項１５】
皮膚又は外皮の前記少なくとも１つのゾーンに対してホワイトニングケアを行うステップと、
前記色及び光度Ｌの基準パラメータとは相当に異なる色及び光度Ｌの現在のパラメータの取得又は非取得の関数として、前記化粧料用組成物のホワイトニングの有効性又は非有効性について結論付けるため、前記所定の時間期間中に化粧ホワイトニング組成物を付与するステップと、
を含む、請求項９〜１４の何れか一項に記載の方法。
【請求項１６】
次の式：（ＩＷ）＝tan−１（Ｌ／（ΔＲＧＢ））に従って白さインデックスを計算し、前記化粧料用組成物の有効性又は非有効性について、前記白さインデックスの傾斜が正であるか又は相当には正ではないか否かに従って結論付けるステップ、
を含む、請求項１５に記載の方法。
【請求項１７】
皮膚又は外皮の前記少なくとも１つのゾーンに対し、前記所定の時間期間中に化粧タンニング組成物を付与することを含むタンニングを行うステップであって、前記色及び光度Ｌの基準パラメータとは相当に異なる色及び光度Ｌの現在のパラメータの取得又は非取得の関数として、前記化粧料用組成物のタンニングの有効性又は非有効性について結論付けるようにする当該ステップ、
を含む、請求項９〜１４の何れか一項に記載の方法。
【請求項１８】
前記相当に異なるとは、誤差の確率が５％以下であるときに得られるものである、請求項１５又は１７に記載の方法。
【請求項１９】
考察される化粧品の有効性の相当の特徴を決定するため、所定の年令カテゴリーを代表するグループの人のパネルに関して化粧有効性の前記評価を行うステップ、
を含む、請求項９〜１８の何れか一項に記載の方法。
【請求項２０】
非常に色白な皮膚、色白な皮膚、中間の皮膚としてそれぞれ格付けされたインデックス又は個々人の類型学的角度を表す皮膚色に従って人の前記グループを選択して、且つそれらを、非常に色白な皮膚から色白の皮膚までの範囲に亘る第１のパネルと、色白の皮膚から中間の皮膚までの範囲に亘る第２のパネルとの２つのパネルに分割するステップと、
各パネルの各人に対して、請求項１〜８の何れか一項に記載のステップａ）からｆ）又は、請求項９〜１９の何れか一項に記載のステップａ）からｅ）を行うステップと、
前記２つのパネルにおいて同様に導き出される傾斜が見出されるときに、考察される化粧料用組成物の正又は負の有効性を結論付けるステップと、
を含む、請求項１９に記載の方法。